(57)【要約】【課題】光ケーブルを作業員１名で効率的に安定して配線用配管内に敷設することを可能にする、光カールコード配管敷設方法を提供すること。【解決手段】収容用チューブ４にカールコード６を連結具５が取り付けられていない側の端４−１から挿入し、一方のＳＣコネクタ１−１を収容用チューブ内に入っていかないように一旦固定する。連結具を取り付けた側の端４−２から他方のＳＣコネクタ１−２を引き出し、ＳＣコネクタ１−２を配線用配管８から出ているけん引用索９に縒り戻し機能を有する接続具７を介して繋げる。接続具７に繋げたＳＣコネクタ１−２を収容用チューブ４内に戻し、連結具５を配線用配管８に取り付ける。配線用配管８のけん引側からけん引用索９を引っ張り配線用配管８内に光カールコード６を敷設する。送り出し側に戻り、一旦固定したＳＣコネクタ１−１を取り外し、配線用配管８から連結具５と収容用チューブ４を外し、収容用チューブ４から光カールコード６を抜き出す。【選択図】図２
2007304439.tif 000002
【特許請求の範囲】
【請求項１】
光カールコードを収容用チューブ内に通すステップと、
前記光カールコードとけん引用索とを繋げるステップと、
前記収容用チューブと前記けん引用索を通した配線用配管とを連結するステップと、
前記けん引用索を引っ張り、前記配線用配管内に前記光カールコードを引き込むステップと
を有することを特徴とする光カールコード配管敷設方法。
【請求項２】
前記繋げるステップは、前記カールコードとけん引用索とを縒り戻し機能を有する接続具を介して繋げることを特徴とする請求項１に記載の光カールコード配管敷設方法。
【請求項３】
前記連結するステップは、前記収容用チューブと前記配線用配管とを連結具を介して連結することを特徴とする請求項１又は２に記載の光カールコード配管敷設方法。
【請求項４】
前記連結具は、前記収容用チューブと一体して形成されていることを特徴とする請求項３に記載の光カールコード配管敷設方法。
【請求項５】
前記収容用チューブの長手方向の中心軸と前記連結具の中心軸とは一致していることを特徴とする請求項３又は４に記載の光カールコード配管敷設方法。
【請求項６】
前記連結具は、前記収容用チューブの内径より小さい第１の筒状部と、
前記配線用配管の内径より小さい第２の筒状部とを含み、
前記連結するステップは、前記収容用チューブの端部に前記第１の筒状部を挿入し、前記配線用配管の端部に、前記第２の筒状部を挿入することを特徴とする請求項３乃至５のいずれかに記載の光カールコード配管敷設方法。
【請求項７】
前記第１の筒状部の内径は、前記収容用チューブ側の端部に向かって大きく形成されており、前記第２の筒状部の内径は、前記配線用配管側の端部に向かって大きく形成されていることを特徴とする請求項６に記載の光カールコード配管敷設方法。
【発明の詳細な説明】
【技術分野】
【０００１】
本発明は、光カールコード配管敷設方法に関し、より詳細には、管路や屋内の配管へ光カールコードを敷設・配線する場合に使用する光カールコード配管敷設方法に関する。
【背景技術】
【０００２】
通信用ケーブルを敷設・配線を行う場合には、配線を行うルートあるいは配管にあらかじめ「けん引用索」、即ちロープやワイヤを敷設しておき、その索と敷設を行うケーブルを結合してけん引用索を巻き取ることにより、ケーブルを敷設する。
【０００３】
従来、このように敷設されるケーブルの内、光ケーブルにはインドアケーブル（特許文献１参照）と呼ばれるものが利用されており、ケーブル敷設後光コネクタを融着して、又はメカニカルスプライスを用いて取り付け、ＯＮＵ（Ｏｐｔｉｃａｌ  Ｎｅｔｗｏｒｋ  Ｕｎｉｔ）等にインドアケーブルと光コネクタの接続箇所及び光コネクタを収納している。
【０００４】
これに対し、光ケーブルの先端にコネクタをつけた状態で敷設を行い、敷設現場において光コネクタの融着やメカニカルスプライスによる接合を必要としない方法も提案されている（特許文献２参照）。
【０００５】
また近年、曲げに強いホーリーファイバを用いた光カールコードが作られるようになり、カール外径が一般的に使用されている配管内径よりも小さいものが出来るようになった（特許文献３参照）。
【０００６】
【特許文献１】特開２００４−０１２８３２号公報
【特許文献２】特開２００３−３２２７２７号公報
【特許文献３】特開２００５−００３８２１号公報
【発明の開示】
【発明が解決しようとする課題】
【０００７】
しかしながら、現在利用しているインドアケーブルは捻りに弱く非常に断線しやすい構造にある。このため、敷設する際にはけん引側と送り側の作業者が光ケーブルに捻りが加わらないように注意しながら敷設を行う必要があるという問題があった。
【０００８】
また、融着やメカニカルスプライスによって光コネクタを取り付ける作業では、その接続状態や作業時間は作業者の習熟度に依存するという問題があった。
【０００９】
さらに、コネクタ付きケーブルを用いて敷設を行う方法では、予め厳密な敷設長を調べる必要があり、余長がある場合、余長を収納するスペースが必要となるという問題があった。
【００１０】
加えて、どちらの方法も基本的に全ての配管敷設において、けん引側と送り側での作業が必要となることから作業員は２人以上必要であるという問題があった。
【００１１】
本発明の目的は、このような問題に鑑みてなされたもので、その目的とするところは、光ケーブルを作業員１名で効率的に安定して配管内に敷設することを可能にする光カールコード配管敷設方法を提供することにある。
【課題を解決するための手段】
【００１２】
本発明は、このような目的を達成するために、請求項１に記載の発明は、光カールコード配管敷設方法であって、光カールコードを収容用チューブ内に通すステップと、光カールコードとけん引用索とを繋げるステップと、収容用チューブとけん引用索を通した配線用配管とを連結するステップと、けん引用索を引っ張り、配線用配管内に光カールコードを引き込むステップとを有することを特徴とする。
【００１３】
請求項２に記載の発明は、請求項１に記載の光カールコード配管敷設方法であって、繋げるステップは、カールコードとけん引用索とを縒り戻し機能を有する接続具を介して繋げることを特徴とする。
【００１４】
請求項３に記載の発明は、請求項１又は２に記載の光カールコード配管敷設方法であって、連結するステップは、収容用チューブと配線用配管とを連結具を介して連結することを特徴とする。
【００１５】
請求項４に記載の発明は、請求項３に記載の光カールコード配管敷設方法であって、連結具は、収容用チューブと一体して形成されていることを特徴とする。
【００１６】
請求項５に記載の発明は、請求項３又は４に記載の光カールコード配管敷設方法であって、収容用チューブの長手方向の中心軸と連結具の中心軸とは一致していることを特徴とする。
【００１７】
請求項６に記載の発明は、請求項３乃至５のいずれかに記載の光カールコード配管敷設方法であって、連結具は、収容用チューブの内径より小さい第１の筒状部と、配線用配管の内径より小さい第２の筒状部とを含み、連結するステップは、収容用チューブの端部に第１の筒状部を挿入し、配線用配管の端部に、第２の筒状部を挿入することを特徴とする。
【００１８】
請求項７に記載の発明は、請求項６に記載の光カールコード配管敷設方法であって、第１の筒状部の内径は、収容用チューブ側の端部に向かって大きく形成されており、第２の筒状部の内径は、配線用配管側の端部に向かって大きく形成されていることを特徴とする。
【発明の効果】
【００１９】
本発明によれば、敷設時の捻りによる断線の可能性が大幅に低減し、余長収納スペース及び敷設現場におけるコネクタの取り付け作業を不要とすることが可能である。
【発明を実施するための最良の形態】
【００２０】
本発明は上記の目的を達成するために光カールコードを利用する。その敷設方法は光カールコードを一旦収容用チューブ内に通し、光カールコードをけん引用索と繋げた後、連結具で配管と収容用チューブを一体化し敷設できるようにする。
【００２１】
以下、図面を参照しながら本発明の実施形態について詳細に説明する。
【００２２】
図１に、ＳＣコネクタ付光カールコード６の平面図を示す。光カールコード６はホーリーファイバを用いたものであり、光コネクタ１−１、１−２が、カール部３、直線部２からなるホーリーファイバの両端に接続されている。光コネクタ１−１、１−２は、どちらもJIS C 5973に規定されるＦ０４コネクタ（ＳＣコネクタ）である。
【００２３】
図２（ａ）〜（ｆ）に、本発明の一実施形態に係る光カールコード配管敷設方法の手順を示す。光カールコード配線用具は、収容用チューブ４と連結具５とからなる。収容用チューブ４は、光カールコード６が連結具５を滑らかに通るように光カールコード６の長手方向の中心軸と連結具５の長手方向の中心軸とを合せることを目的とする、光カールコード６を一時的に収容するためのチューブである。そのため、収容用チューブ４の長手方向の中心軸と連結具５の長手方向の中心軸は一致している。
【００２４】
また、収容用チューブ４は光カールコード６が上記目的を達するものであれば形状・サイズ・材質によらない。
【００２５】
図３に、本発明の一実施形態に係る光カールコード配管敷設方法において用いる連結具５を示す。連結具５は、収容用チューブ４と配線用配管８とを接続して収容用チューブ４内にある光カールコード６を配線用配管８に誘導することを目的とするものである。
【００２６】
連結具５は、２つの筒状部、即ち連結部１０−１と連結部１０−２とを含む。連結部１０−１の外径は、収容用チューブ４の内径よりも小さく、収容用チューブ４の内側に挿入されるものとする。同様に、連結部１０−２の外径は、配線用配管８の内径よりも小さく、配線用配管８の内側に挿入されるものとする。
【００２７】
本実施形態では、光カールコード６が連結部１０−１に引き込まれる際に、光カールコード６が連結部１０−１の端に引っかからないように、一点鎖線で示すように連結部１０−１の内径が収容用チューブ側の端で大きくなって、肉厚が薄くなっている。同様に、連結部１０−２の内径も、配線用配管側の端で大きくなって、肉厚が薄くなっている。
【００２８】
また、同図に示す例では配線用配管８の端部に環状部材１２が固定されており、連結具５には配線用配管８から容易に外れないように、配線用配管８の環状部材１２を両側から挟み込む爪１１−１、１１−２が付けられている。即ち、爪１１−１、１１−２は、配線用配管８の端部の凹凸を利用して、接続された連結具５と配線用配管８とが容易に外れないようにすることができる。爪１１−１、１１−２は、連結具５と動作可能に取り付けれ、外側に広げることもでき、外側に広げられるとバネ等の復元力によって内側に戻る力が働くようにされている。
【００２９】
但し、連結具５は、収容用チューブ４と配線用配管８とを接続するためのものであれば形状・サイズ・材質によらず、収容用チューブ４と一体になった形状であってもよい。
【００３０】
図２に戻り、光カールコード配管敷設方法について説明する。
【００３１】
連結具５を収容用チューブ４の一端に取り付ける（図２（ａ））。連結具５は、望ましくは、収容用チューブ４に簡易に取り付け、取り外しができるものとする。
【００３２】
収容用チューブ４にカールコード６を連結具５が取り付けられていない側の端４−１から挿入し（図２（ｂ））、一方のＳＣコネクタ１−１を収容用チューブ内に入っていかないように一旦固定する。固定する際には簡易に取り外しができるようにする。
【００３３】
連結具を取り付けた側の端４−２から他方のＳＣコネクタ１−２を引き出し、ＳＣコネクタ１−２を配線用配管８から出ているけん引用索９に縒り戻し機能を有する接続具７を介して繋げる（図２（ｃ））。
【００３４】
接続具７に繋げたＳＣコネクタ１−２を収容用チューブ４内に戻し、連結具５を配線用配管８に取り付ける（図２（ｄ））。連結具７は、望ましくは、配線用配管８に簡易に取り付け、取り外しができるものとする。
【００３５】
配線用配管８のけん引側からけん引用索９を引っ張り配線用配管８内に光カールコード６を敷設する。敷設した光カールコード６は自身のバネ力により配線用配管８内へ引っ込もうとするので、けん引側のＳＣコネクタ１−２が配線用配管８内に引き込まれないように固定する（図２（ｅ））。
【００３６】
送り出し側に戻り、配線用配管８から連結具５と収容用チューブ４を外し、一旦固定したＳＣコネクタ１−１を取り外し、収容用チューブ４から光カールコード６を抜き出し、ＳＣコネクタ１−１が配線用配管８内に入っていかないように再度固定して敷設を終了する（図２（ｆ））。
【００３７】
この方法により１人で光カールコード６を配線用配管８へ敷設する作業ができる。
【００３８】
光カールコード６の有するバネ性と、配線用配管８の端部への引っかかりをなくした光カールコード配線用具とによって、挿入側に光カールコード６の自動送り出し機能を持たせることにより、１名の作業者でも光ケーブルの敷設を行うことができる。
【００３９】
このように、配管敷設においてインドアケーブルではなく光カールコード６を敷設できるようになることで、敷設時の捻りによる断線の可能性が大幅に低減され、また余長収納スペース及び敷設現場におけるコネクタの取り付け作業が不要になる。
【図面の簡単な説明】
【００４０】
【図１】ＳＣコネクタ付光カールコードの平面図である。
【図２】（ａ）〜（ｆ）は、カールコード配線用具及び光カールコード配管敷設方法の手順を示す図である。
【図３】本発明の一実施形態に係る連結具を示す図である。
【符号の説明】
【００４１】
１−１、１−２  ＳＣコネクタ
２  直線部
３  カール部
４  収容用チューブ
５  連結具
６  光カールコード
７  縒り戻し
８  配線用配管
９  けん引用索
１０−１、１０−２  連結部
１１−１、１１−２  爪
１２  環状部材
【図１】
2007304439.tif 000003
【図２】
2007304439.tif 000004
【図３】
2007304439.tif 000005